(57)【要約】【課題】ディスクの収納枚数に拘らず、ケース内におけるディスクの移動を確実に規制することができ、可搬型の収納容器としても使用できるようにする。【解決手段】アウターケース１が上面を開閉自在に被覆するボトムプレート２の上面の中央部に部分円弧状の断面を呈する３個のブレード３１を半径方向に移動自在に支持し、３個のブレード３１の内側の空間に円柱状のロッド３２を回転自在に支持した。ロッド３２の回転状態に応じて、ロッド３２の周面に形成した突起３２Ｂをブレード３１の内側面に形成した突起３１Ａに選択的に当接させる。突起３２Ｂが突起３１Ａに当接すると各ブレード３１は互いに離間する方向に移動し、ブレード３１の外周面がディスクの孔部の内周面に圧接し、ディスクの移動が規制される。【選択図】図１
2006036361.tif 000002
【特許請求の範囲】
【請求項１】
ディスクの孔部を貫通する支持棒を上面の中央部から上方に延出させたボトムプレートと、該ボトムプレートの上面を開閉自在に被覆する中空のアウターケースと、を備え、
前記支持棒の外径が、前記ディスクの孔部に遊嵌する第１の径と、前記ディスクの孔部の周縁部に圧接する第２の径と、に選択的に変化することを特徴とするスピンドルケース。
【請求項２】
前記ボトムプレートに対する前記アウターケースの回転又は上下移動を前記支持棒に伝達する伝達部材を前記支持棒及び前記アウターケースの少なくとも一方に設け、
前記ボトムプレートに対する前記アウターケースの回転又は上下移動に伴って前記支持棒の外径が前記第１の径と前記第２の径とに選択的に変化することを特徴とする請求項１に記載のスピンドルケース。
【請求項３】
前記支持棒は、前記ボトムプレートの上面において前記支持棒の半径方向に移動自在にされた複数のブレードと、該ブレードの内側で前記ボトムプレートに回転自在又は上下移動自在に保持されたロッドと、からなり、
前記ロッドの回転又は上下移動によって前記複数のブレードが前記半径方向に移動することを特徴とする請求項１又は２に記載のスピンドルケース。
【請求項４】
前記ロッドを前記ボトムプレートにおいて上下方向に移動自在に配置するとともに、前記ロッドを上方に付勢する弾性部材を備え、
前記伝達部材は、前記ロッドの頂部に設けた第１の当接部と、前記アウターケースの内側面に設けた第２の当接部と、からなり、前記第１の当接部と前記第２の当接部との離間及び当接によって前記ボトムプレートに対する前記アウターケースの上下移動を前記ロッドに伝達し、
前記ロッドの外周面に、前記複数のブレードのそれぞれの内周面に当接する突起であって前記ロッドの軸方向に沿って上方にいくに従って順次突出量が増加する突起を形成し、
前記ボトムプレートに対する前記アウターケースの上下移動に伴う前記ロッドの上下移動により、前記突起における前記複数のブレードのそれぞれの内周面に当接する部分の突出量の変化によって前記複数のブレードが前記半径方向に移動することを特徴とする請求項３に記載のスピンドルケース。
【請求項５】
前記伝達部材は、前記ロッドの頂部に設けた第１の係合部材と、前記アウターケースの内側面に設けた第２の係合部材と、からなり、前記第１の係合部材と前記第２の係合部材とが係合した状態で前記ボトムプレートに対する前記アウターケースの回転を前記ロッドに伝達し、
前記ロッドの外周面に、前記複数のブレードのそれぞれの内周面に当接する突起であって前記ロッドの円周方向に沿って順次外径が拡大する突起を形成し、
前記ボトムプレートに対する前記アウターケースの回転に伴う前記ロッドの回転により、前記突起における前記複数のブレードのそれぞれの内周面に当接する部分の外径の変化によって前記複数のブレードが前記半径方向に移動することを特徴とする請求項３に記載のスピンドルケース。
【請求項６】
前記支持棒は、前記ボトムプレートの上面において前記支持棒の半径方向に移動自在にされた複数のブレードを備え、
下端部から上端部に向って外径が大径化するテーパ状のロッドを前記アウターケースの内側上面における前記複数のブレードの内側に対向する位置から下方に延出させたことを特徴とする請求項１に記載のスピンドルケース。
【請求項７】
前記支持棒は、外周面の少なくとも一部を可撓性のエンベローブによって構成するとともに、エンベローブの内側に空気を流入させるポンプ機構、及び、エンベローブの内側を選択的に大気圧に開放するバルブ機構を内部に備えたことを特徴とする請求項１に記載のスピンドルケース。
【請求項８】
前記支持棒は、外周面の少なくとも一部に可撓性のエンベローブを備えた中空形状を呈し、
前記伝達部材は、前記支持棒の頂部に設けられて内部が前記支持棒の内部に連通し、前記ボトムプレートに対する前記アウターケースの上下移動に伴う前記アウターケースの離間及び当接によって伸縮するベローズであることを特徴とする請求項２に記載のスピンドルケース。
【発明の詳細な説明】
【技術分野】
【０００１】
この発明は、ＣＤやＤＶＤ等のディスクを複数枚積層して収納するケースに関し、特に、ディスクの中央部に形成された孔部に貫通する棒状体（スピンドル）を備えたスピンドルケースに関する。
【背景技術】
【０００２】
文書情報、音楽情報及び画像情報等の記録に使用されるＣＤやＤＶＤ等のディスクは、数枚程度ケースに収納して運搬される場合があり、このため、収納するケースとして種々提案されている（例えば、特許文献１参照。）。一方、情報を記録していない空ディスクは、たとえば２５枚や５０枚等の多数枚の所定枚数をセットにして所定のケースに収納して販売される。このケースとして、一般に、ディスクの中央部に形成された孔部にスピンドルを貫通させて位置決めするようにしたスピンドルケースが用いられている。
【０００３】
スピンドルケースは、ディスクよりもやや大径の円盤状のボトムプレートと、ボトムプレートの上面を開閉自在に被覆する円筒形又は中空截頭円錐形状のアウターケースと、からなる。ボトムプレートの中央部からは上方にスピンドルが延出しており、ボトムプレートの上面にアウターケースを被せると、スピンドルの上端に形成されたネジ部がアウターケースの開口部から上面側に露出する。このネジ部にアウターケースの上面に当接するフランジ部を有するスクリューキャップを螺合させることにより、ボトムプレートとアウターケースとが一体化される。
【０００４】
このとき、アウタープレートの内側上面から下方に延出した突起が、ケース内に積層して収納されている複数枚のディスクの最上面に圧接し、複数枚のディスクを下方に押圧する。このため、ケースに対するディスクの収納時やケースからディスクを取り出す際の利便性を考慮して、スピンドルの外径をディスクの孔部の内径よりも充分に小さくしても、ケース内に収納された所定枚数のディスクが運搬時の振動等の作用によってケース内で移動することがなく、所定数枚のディスクを安定した状態でケース内に収納しておくことができる。
【特許文献１】特開２００１−０４８２７０号公報
【発明の開示】
【発明が解決しようとする課題】
【０００５】
しかしながら、従来のスピンドルケースでは、ケース内に所定枚数のディスクを収納した状態で、最上位に位置するディスクの上面を下方に押圧することでケース内におけるディスクの移動を規制していたため、ケース内に収納するディスク枚数が所定枚数よりも減少すると、収納しているディスクを下方へ充分に押圧することができなくなり、ケース内におけるディスクの移動を規制することができなくなる。
【０００６】
このため、ケース内に所定枚数よりも少ない枚数のディスクを収納した状態でケースを移動させると、ケース内でディスクが移動し、アウターケースやディスク同士の衝突によってディスクが破損する可能性がある。よって、所定枚数よりも少ない枚数のディスクを収納した状態での運搬に適さず、スピンドルケースを可搬型の収納容器として使用することができない問題があった。この結果、ユーザは、スピンドルケースに収納された所定枚数のディスクを購入した後、スピンドルケースを不要なものとして破棄しており、資源の浪費を招く結果となっていた。
【０００７】
この発明の目的は、ディスクの収納枚数に拘らず、ケース内におけるディスクの移動を確実に規制することができ、可搬型の収納容器としても使用することができ、ディスクの購入後に破棄されることによる資源の浪費を防止することができるスピンドルケースを提供することにある。
【課題を解決するための手段】
【０００８】
この発明は、上記の課題を解決するための手段として、以下の構成を備えている。
【０００９】
（１）ディスクの孔部を貫通する支持棒を上面の中央部から上方に延出させたボトムプレートと、該ボトムプレートの上面を開閉自在に被覆する中空のアウターケースと、を備え、
前記支持棒の外径が、前記ディスクの孔部に遊嵌する第１の径と、前記ディスクの孔部の周縁部に圧接する第２の径と、に選択的に変化することを特徴とする。
【００１０】
この構成においては、ディスクの孔部を貫通する支持棒が、ディスクの孔部に遊嵌する状態と、ディスクの孔部の周縁部に圧接する状態と、に選択的に変更される。したがって、支持棒がディスクの孔部に遊嵌してボトムプレート上でディスクが上下移動自在にされた状態と、支持棒がディスクの孔部の周縁部に圧接してボトムプレート上におけるディスクの移動が規制された状態と、が選択される。
【００１１】
（２）  前記ボトムプレートに対する前記アウターケースの回転又は上下移動を前記支持棒に伝達する伝達部材を前記支持棒及び前記アウターケースの少なくとも一方に設け、
前記ボトムプレートに対する前記アウターケースの回転又は上下移動に伴って前記支持棒の外径が前記第１の径と前記第２の径とに選択的に変化することを特徴とする。
【００１２】
この構成においては、アウターケースをボトムプレートに対して装着又は離脱させる際にアウターケースをボトムプレートに対して回転又は上下移動させると、その回転又は上下移動が伝達部材を介して支持棒に伝達され、支持棒の外径が第１の径と第２の径とに選択的に変化する。したがって、アウターケースをボトムプレートに装着又は離脱させる作業により、支持棒の外径が第１の径と第２の径とに選択的に変化する。
【００１３】
（３）前記支持棒は、前記ボトムプレートの上面において前記支持棒の半径方向に移動自在にされた複数のブレードと、該ブレードの内側で前記ボトムプレートに回転自在又は上下移動自在に保持されたロッドと、からなり、
前記ロッドの回転又は上下移動によって前記複数のブレードが前記半径方向に移動することを特徴とする。
【００１４】
この構成においては、支持棒を構成するロッドの回転又は上下移動によって複数のブレードが半径方向に移動し、支持棒の外径がディスクの孔部に遊嵌する第１の径と、ディスクの孔部の周縁部に圧接する第２の径と、に選択的に変化する。
【００１５】
したがって、ロッドを回転又は上下移動させることでボトムプレート上でディスクが上下移動自在にされた状態と、ボトムプレート上におけるディスクの移動が規制された状態と、が選択的に実現される。
【００１６】
（４）前記ロッドを前記ボトムプレートにおいて上下方向に移動自在に配置するとともに、前記ロッドを上方に付勢する弾性部材を備え、
前記伝達部材は、前記ロッドの頂部に設けた第１の当接部と、前記アウターケースの内側面に設けた第２の当接部と、からなり、前記第１の当接部と前記第２の当接部との離間及び当接によって前記ボトムプレートに対する前記アウターケースの上下移動を前記ロッドに伝達し、
前記ロッドの外周面に、前記複数のブレードのそれぞれの内周面に当接する突起であって前記ロッドの軸方向に沿って上方にいくに従って順次突出量が増加する突起を形成し、
前記ボトムプレートに対する前記アウターケースの上下移動に伴う前記ロッドの上下移動により、前記突起における前記複数のブレードのそれぞれの内周面に当接する部分の突出量の変化によって前記複数のブレードが前記半径方向に移動することを特徴とする。
【００１７】
この構成においては、アウターケースをボトムプレートに対して装着又は離脱させる際にアウターケースをボトムプレートに対して上下移動させると、ロッドの頂部に設けた第１の当接部にアウターケースの内側面に設けた第２の当接部が当接又は離間し、ボトムプレートにおいてロッドが上下移動する。ロッドが上下移動するとロッドの外周面に形成された突起において複数のブレードのそれぞれの内周面に当接する部分の突出量が変化し、複数のブレードが半径方向に移動する。
【００１８】
したがって、アウターケースをボトムプレートに対して装着又は離脱させる際にアウターケースをボトムプレートに対して上下移動させる作業により、複数のブレードが半径方向に移動して支持棒の外径が第１の径と第２の径とに選択的に変化する。
【００１９】
（５）前記伝達部材は、前記ロッドの頂部に設けた第１の係合部材と、前記アウターケースの内側面に設けた第２の係合部材と、からなり、前記第１の係合部材と前記第２の係合部材とが係合した状態で前記ボトムプレートに対する前記アウターケースの回転を前記ロッドに伝達し、
前記ロッドの外周面に、前記複数のブレードのそれぞれの内周面に当接する突起であって前記ロッドの円周方向に沿って順次外径が拡大する突起を形成し、
前記ボトムプレートに対する前記アウターケースの回転に伴う前記ロッドの回転により、前記突起における前記複数のブレードのそれぞれの内周面に当接する部分の外径の変化によって前記複数のブレードが前記半径方向に移動することを特徴とする。
【００２０】
この構成においては、アウターケースをボトムプレートに対して装着又は離脱させる際にアウターケースをボトムプレートに対して回転させると、この回転がロッドの頂部に設けた第１の係合部材とアウターケースの内側面に設けた第２の係合部材との係合によってロッドに伝達され、ボトムプレートにおいてロッドが回転する。ロッドが回転するとロッドの外周面に形成された突起において複数のブレードのそれぞれの内周面に当接する部分の突出量が変化し、複数のブレードが半径方向に移動する。
【００２１】
したがって、アウターケースをボトムプレートに対して装着又は離脱させる際にアウターケースをボトムプレートに対して回転させる作業により、複数のブレードが半径方向に移動して支持棒の外径が第１の径と第２の径とに選択的に変化する。
【００２２】
（６）前記支持棒は、前記ボトムプレートの上面において前記支持棒の半径方向に移動自在にされた複数のブレードを備え、
下端部から上端部に向って外径が大径化するテーパ状のロッドを前記アウターケースの内側上面における前記複数のブレードの内側に対向する位置から下方に延出させたことを特徴とする。
【００２３】
この構成においては、アウターケースの上面から下方に延出したテーパ状のロッドが、支持棒を構成する複数のブレードの内側に対向する。したがって、アウターケースをボトムプレートの上面に被せると、ロッドとの当接によって複数のブレードが徐々に半径方向の外側に移動し、支持棒の外径がディスクの孔部に遊嵌する第１の径からディスクの孔部の周縁部に圧接する第２の径に選択的に変化する。これによって、アウターケースをボトムプレートの上面に被せるか否かに応じて、ボトムプレート上でディスクが上下移動自在にされた状態と、ボトムプレート上におけるディスクの移動が規制された状態と、が選択的に実現される。
【００２４】
（７）前記支持棒は、外周面の少なくとも一部を可撓性のエンベローブによって構成するとともに、エンベローブの内側に空気を流入させるポンプ機構、及び、エンベローブの内側を選択的に大気圧に開放するバルブ機構を内部に備えたことを特徴とする。
【００２５】
この構成においては、支持棒の内部におけるエンベローブの内側にポンプ機構を介して空気を流入させると、可撓性を有するエンベローブが外側に膨らみ、バルブ機構によってエンベローブの内側を大気圧に開放することよってエンベローブが縮む。したがって、ポンプ機構を動作させて膨張したエンベローブがディスクの孔部に圧接する状態と、バルブ機構を動作させて収縮したエンベローブがディスクの孔部に圧接しない状態と、が選択的に実現される。
【００２６】
（８）前記支持棒は、外周面の少なくとも一部に可撓性のエンベローブを備えた中空形状を呈し、
前記伝達部材は、前記支持棒の頂部に設けられて内部が前記支持棒の内部に連通し、前記ボトムプレートに対する前記アウターケースの上下移動に伴う前記アウターケースの離間及び当接によって伸縮するベローズであることを特徴とする。
【００２７】
この構成においては、アウターケースをボトムプレートに対して装着又は離脱させる際にアウターケースをボトムプレートに対して上下移動させると、アウターケースの離間及び当接によって支持棒の頂部に設けられたベローズが伸縮し、支持棒内の空気を圧縮又は膨張させてエンベロープを拡張又は収縮させる。
【００２８】
したがって、アウターケースをボトムプレートに対して装着又は離脱させる際にアウターケースをボトムプレートに対して上下移動させる作業により、エンベロープが拡縮して支持棒の外径が第１の径と第２の径とに選択的に変化する。
【発明の効果】
【００２９】
この発明によれば、以下の効果を奏することができる。
【００３０】
（１）支持棒がディスクの孔部に遊嵌してボトムプレート上でディスクを上下移動自在にされた状態と、支持棒がディスクの孔部の周縁部に圧接してボトムプレート上におけるディスクの移動を規制した状態と、を選択的に実現することにより、所定の収納可能枚数の範囲内でボトムプレート上へのディスクの積載及び取り出しが行えるだけでなく、所定の収納可能枚数より少ない枚数のディスクがボトムプレート上に積載されている場合でも、ボトムプレート上におけるディスクの移動を確実に規制することができる。これによって、この発明のスピンドルケースを可搬型の収納容器としても使用することができ、資源の浪費を防止することができる。
【００３１】
（２）アウターケースをボトムプレートに対して装着又は離脱させる際にアウターケースをボトムプレートに対して回転又は上下移動させると、その回転又は上下移動を伝達部材を介して支持棒に伝達し、支持棒の外径を第１の径と第２の径とに選択的に変化させることができる。これによって、アウターケースをボトムプレートに装着又は離脱させる作業により、支持棒の外径を第１の径と第２の径とに選択的に変化させることができる。
【００３２】
（３）ロッドを回転又は上下移動させることでボトムプレート上でディスクが上下移動自在にされた状態と、ボトムプレート上におけるディスクの移動が規制された状態と、を選択的に実現することができ、ボトムプレート上へのディスクの積載及び取り出しが可能な状態とボトムプレート上におけるディスクの移動を規制する状態とを容易に変更できる。
【００３３】
（４）アウターケースをボトムプレートに対して装着又は離脱させる際にアウターケースをボトムプレートに対して上下移動させる作業により、複数のブレードを半径方向に移動させ、支持棒の外径を第１の径と第２の径とに選択的に変化させることができる。
【００３４】
（５）アウターケースをボトムプレートに対して装着又は離脱させる際にアウターケースをボトムプレートに対して回転させる作業により、複数のブレードを半径方向に移動させ、支持棒の外径を第１の径と第２の径とに選択的に変化させることができる。
【００３５】
（６）アウターケースをボトムプレートの上面に被せるか否かに応じて、ボトムプレート上でディスクが上下移動自在にされた状態と、ボトムプレート上におけるディスクの移動が規制された状態と、を選択的に実現することができ、ボトムプレート上へのディスクの積載及び取り出しが可能な状態とボトムプレート上におけるディスクの移動を規制する状態とを容易に変更できる。
【００３６】
（７）ポンプ機構により膨張したエンベローブをディスクの孔部に圧接させてスピンドルケース内におけるディスクの移動を確実に規制することができるとともに、バルブ機構によりエンベローブを収縮させてスピンドルケースに対してディスクを挿脱自在にすることができる。
【００３７】
（８）アウターケースをボトムプレートに対して装着又は離脱させる際にアウターケースをボトムプレートに対して上下移動させる作業により、ベローズの収縮によってエンベロープを拡縮させ、支持棒の外径を第１の径と第２の径とに選択的に変化させることができる。
【発明を実施するための最良の形態】
【００３８】
図１は、この発明の第１の実施形態に係るスピンドルケースの構成を示す斜視図である。スピンドルケース１０は、中空截頭円錐形状のアウターケース１と、円盤状のボトムプレート２と、からなる。アウターケース１の上面には貫通孔１１が形成されている。アウターケース１の内径は、上端部において収納すべきディスクの外径よりも僅かに大きく、下端部１２にいくにしたがって大径化されている。
【００３９】
ボトムプレート２の上面の周囲には、全周にわたって段部２１が形成されており、この段部２１にアウターケース１の下端部１２が上方から嵌入する。ボトムプレート２の上面の中央部から上方に支持棒３が延出している。支持棒３は、従来のスピンドルケースにおけるスピンドルであり、収納すべきディスクの孔部を貫通する。
【００４０】
支持棒３は、外周を形成する３枚のブレード３１とこれらのブレード３１の内側に配置されたロッド３２とを備えている。ブレード３１のそれぞれは、ボトムプレート２の上面において、支持棒３の半径方向に所定範囲にわたって移動自在にされている。ロッド３２は、ボトムプレート２の上面において回転自在に支持されている。ロッド３２の上端にはネジ穴３２Ａが開口している。このネジ穴３２Ａには、ノブ３３のネジ部３３Ａが螺合する。
【００４１】
図２は、上記スピンドルケースの支持棒の構成を示す組立図である。支持棒３は、固定プレート４を介してボトムプレート２に備えられる。ボトムプレート２の中央部には、孔部２２が形成されているとともに、この孔部２２に連通する３本のスリット２３が放射状に形成されている。固定プレート４は、略ドーナツ状を呈し、ボトムプレート２の底面の中央部に下方から装着される。固定プレート４には、中央の孔部４１に連通する３本のギャップ４２が放射状に形成されている。３本のギャップ４２のそれぞれは、ボトムプレート２の３本のスリット２３に下方から対向する。
【００４２】
各ブレード３１は、部分円弧状の横断面を呈し、内周面における上下方向の３箇所に突起３１Ａが形成されている。ロッド３２は、円形の横断面を呈し、周方向の３箇所で、かつ上下方向の３箇所に突起３２Ｂが形成されている。各ブレード３１の底面には、固定プレート４を挟んでギャップ４２及びスリット２３を下方から貫通したスライドピン４３が固定される。これによって、各ブレード３１は、スリット２３に沿って移動自在にされる。スライドピン４３は、図示しないコイルスプリング等の弾性部材によって固定プレート４の中心に向けて付勢されている。ロッド３２は、固定プレート４の孔部４１内に位置し、下端部に形成されたフランジ３２Ｃを介して、固定プレート４の下方でボトムプレート２に回転自在に支持される。
【００４３】
図３は、上記スピンドルケースにおける支持棒の動作を示す図である。図３（Ａ）に示すように、支持棒３において、ブレード３１の内側面に形成された突起３１Ａと、ロッド３２の外周面に形成された突起３２Ｂと、が対向していない状態では、各ブレード３１が支持棒３の半径方向において互いに近接する方向に移動し、突起３１Ａがロッド３２の外周面において突起３２Ｂの形成されていない部分に当接する。このとき、支持棒３の外径は、収納すべきディスクの孔部の内径よりも小さく、支持棒３がディスクの孔部に遊嵌する第１の径になっている。このため、支持棒３に対してディスクの孔部を容易に挿脱することができ、ボトムプレート２の上面にディスクを自由に積載することができる。
【００４４】
なお、図３（Ａ）中の拡大図に示すように、突起３１Ａの先端部は凹状に形成されており、突起３２Ｂが突起３１Ａに当接した状態を維持できるようにされている。
【００４５】
図３（Ａ）に示す状態からロッド３２を６０度回転させると、ブレード３１の内側面に形成された突起３１Ａと、ロッド３２の外周面に形成された突起３２Ｂと、が対向し、両者の当接によってブレード３１のそれぞれが支持棒３の半径方向における外側に移動する。このとき、支持棒３の外径は収納すべき孔部の内径よりも僅かに大きく、支持棒３がディスクの孔部の周縁部に圧接する第２の径になっている。このため、ブレード３１の外周面がディスクの孔部の内周部に圧接する。この圧接によってディスクの移動が規制される。
【００４６】
なお、ロッド３２の回転は、ノブ３３の操作によって行うことができる。即ち、図１に示すように、ボトムプレート２の上面からアウターケース１を取り外した状態で、ディスクの孔部に支持棒３を貫通させてディスクをボトムプレート２の上面に積載した後、ボトムプレート２の上面をアウターケース１によって被覆する。この後、ノブ３３のネジ部３３Ａをアウターケース１の貫通部１１を経由して、ロッド３２の上面に開放したネジ穴３２Ａに螺合させ、ノブ３３を介してロッド３２を回転操作する。ノブ３３のネジ部３３Ａをロッド３２のネジ穴３２Ａに充分に螺合させると、ノブ３３に底面におけるネジ部３３Ａの外側の部分がアウターケース１の上面に当接し、アウターケース１によるボトムプレート２の上面被覆状態が維持される。
【００４７】
また、スライドピン４３を固定プレート４の中心に向けて付勢する弾性部材は必須ではなく、ロッド３２を図３（Ｂ）に示す状態から図３（Ａ）に示す状態に回転させた状態で手動操作によってブレード３１を互いに近接する方向に移動させてディスクの挿脱を行うようにしてもよい。
【００４８】
さらに、ブレード３１の外側面をゴム、軟質プラスチック又は発泡スポンジ材等の柔軟性を有する素材によって構成することにより、ディスクをより確実に固定することができる。この場合に、ブレード３１の外側面において、最上部のディスクの孔部の内周面との対向部分より上側の部分は、ディスクの孔部の内周面に圧接することなく開放されているため、その外径はディスクの孔部の内径よりも大きくなる。これによって、最上部のディスクの上面における孔部の周縁部には、ブレード３１の外側面において変形を生じない部分が圧接し、ディスクには下向きの力が作用して、ディスクの移動がより確実に規制される。
【００４９】
また、図９に示すように、アウターケース１の上面の内側面の３箇所から下方に向けて係止部材５１を延出させ、係止部材５１のそれぞれと各ブレード３１の外側面の上端部との当接によって、ブレード３１の互いに離間する方向の移動範囲を規定するようにしてもよい。
【００５０】
図４は、この発明の第２の実施形態に係るスピンドルケースにおける支持棒の構成及び動作を説明する図である。この実施形態に係るスピンドルケースの支持棒１０３は、第１の実施形態に係るスピンドルケース１０の支持棒３において、ボトムプレート２に対してロッド３２を上下移動自在に支持したものである。
【００５１】
図４（Ａ）に示すように、ロッド３２を上方に移動させた状態では、ロッド３２の周面に形成された突起３２Ｂが各ブレード３１の内側面に形成された突起３１Ａに当接し、各ブレード３１がロッド３２の半径方向において互いに離間する方向に移動し、各ブレード３１の外側面がディスクの孔部の周縁部に圧接してディスクの移動を規制する。
【００５２】
なお、図４（Ａ）中の拡大図に示すように、突起３１Ａの先端部は凹状に形成されており、突起３２Ｂが突起３１Ａに当接した状態を維持できるようにされている。
【００５３】
図４（Ｂ）に示すように、ロッド３２を下方に移動させた状態では、ロッド３２の周面に形成された突起３２Ｂが各ブレード３１の内側面に形成された突起３１Ａに当接しなくなり、各ブレード３１をロッド３２の半径方向において互いに近接する方向に移動させることができ、各ブレード３１の外側面によって構成される支持棒１０３の外径がディスクの孔部の内径に対して充分に小さくなる結果、支持棒１０３に対してディスクの挿脱を行うことができる。
【００５４】
図１１は、図４に示した実施形態の変形例である。この例では、ロッド２３２の頂部に突出部（この発明の第２の当接部である。）６０２を形成した。この発明の第１の当接部であるアウターケース１の上面の内側面及び突出部６０２が、この発明の伝達部材を構成している。
【００５５】
また、アウターケース１は、下端部の内周面に形成したネジ部６０３とボトムプレート２の外周面に形成したネジ部６０４との螺合により、ボトムプレート２に装着される。したがって、アウターケース１をボトムプレート２に対して上方から被覆した状態で回転させることにより、アウターケース１がボトムプレート２に着脱される。
【００５６】
支持体１０３は、プレート６０１とロッド３２と３つのブレード６０５とによって構成されている。ブレード６０５は、後述する支持体２０３のブレード２３１と突起２３１Ｅを除いて同様に構成されている。ロッド３２の外周面には、軸方向に沿って上方にいくにしたがって突出量が増加する突起としての傾斜面６１１が形成されている。傾斜面６１１は、ロッド３２の円周方向において全周にわたって形成されている。ブレード６０５の内周面には、リング状の突起６１２が形成されている。傾斜面６１１は、突起６１２に対向している。
【００５７】
ロッド３２は、下端部がボトムプレート２の中心に形成された孔部６１３を上方から貫通する。ロッド３２の下端部の小径部にはコイルスプリング６０６が外嵌している。ロッド３２は、コイルスプリング６０６の弾性力により上方に付勢されている。ロッド３２の下端部において孔部６１３からボトムプレート２の底面側に露出した部分にはＣリング６０７が外嵌している。ロッド３２は、Ｃリング６０７がボトムプレート２の底面に当接することにより、上方への移動範囲を規定されている。
【００５８】
プレート６０１は、ドーナツ状の円板であり、周縁部において３つのブレード６０５の本体の上端が固定されている。プレート６０１の中央の孔部には、ロッド３２の突出部６０２が貫通する。
【００５９】
アウターケース１をボトムプレート２に対して上方から被覆すると、図１２（Ａ）に示すように、アウターケース１が突出部６０２に上方から外嵌する。この状態で、アウターケース１をボトムプレート２に装着すべく回転させると、図１２（Ｂ）に示すように、ネジ部６０３とネジ部６０４との螺合によってアウターケース１がボトムプレート２に対して下降し、アウターケース１の上面の内側面がロッド３２の突出部６０２に当接する。アウターケース１の下降が突出部６０２を備えたロッド３２に伝達され、ボトムプレート２０２においてロッド３２が下降する。このロッド３２の下降により、傾斜面６１１の大径部が突起６１２に当接し、ブレード６０５における揺動体が外側に揺動する。これによって、ブレード６０５における揺動体の外周面がディスクの孔部の内周部に圧接し、ディスクの移動が規制される。
【００６０】
アウターケース１をボトムプレート２から取り外すべく逆方向に回転させると、ネジ部６０３とネジ部６０４との螺合が解除されることにより、アウターケース１がボトムプレート２に対して上昇する。これによって、アウターケース１の上面の内側面と突出部６０２との当接が解除され、ロッド３２はコイルスプリング６０６の弾性力によってボトムプレート２から上昇し、ロッド３２の傾斜面６１１における小径部が突起６１２に当接するようになり、ブレード６０５における揺動体の外周面がディスクの孔部の内周部から離間してディスクの移動が規制されなくなる。
【００６１】
したがって、この例では、ボトムプレート２にアウターケース１を着脱する際のアウターケース１の上下移動により、ロッド３２を上下移動させて複数のブレード６０５を半径方向に移動させることができ、支持棒１０３の外径を変化させてディスクの移動を選択的に規制することができる。
【００６２】
なお、図１３（Ａ）に示すように、ブレード６０５における揺動体６０５Ｂの内側面に形成した突起６１２から係合部６２１を突出させ、ロッド３２における傾斜面６１１に係合部６２１が係合する溝部６２２を形成することにより、図１３（Ｂ）及び（Ｃ）に示すように、３個の揺動体６０５Ｂを互いに離間する方向、及び、互いに接近する方向に確実に移動させることができる。
【００６３】
特に、図１３（Ｃ）に示す状態から図１３（Ｂ）に示す状態に３個の揺動体６０５Ｂを互いに接近させる際には、ロッド３２の上昇に伴って突起６１２に対向する傾斜面６１１の外径が小さくなるに従い、溝部６２２に沿って係合部６２１がロッド３２の中心に向かって移動する。これによって、３個の揺動体６０５Ｂを、ロッド３２の上昇に伴って、互いに接近する方向に確実に移動させることができる。
【００６４】
図５は、この発明の第３の実施形態に係るスピンドルケースの構成を示す図である。この実施形態に係るスピンドルケース２００は、第１の実施形態に係るスピンドルケース１０の支持棒３に代えて、支持棒２０３を備えている。支持棒２０３は、複数（図５に示す例では３個）のブレード２３１、ロッド２３２及びキャップ２３３からなる。
【００６５】
各ブレード２３１は、弾性を有する樹脂材料からなり、ヒンジ部２３１Ｃを挟んで本体２３１Ａと揺動体２３１Ｂとを備えている。揺動体２３１Ｂは、ヒンジ部２３１Ｃを介して本体２３１Ａに対して揺動自在にされている。本体２３１Ａの下端面からは下方に突起２３１Ｄが延出している。揺動体２３１Ｂの内側面には、上下方向の全域にわたって突起２３１Ｅが突出している。
【００６６】
ロッド２３２は、略円柱形状を呈し、その外周面における周方向の等間隔の３箇所に上下方向の全域にわたって突起２３２Ｂが突出している。ロッド２３２の頂部には、図１に示したノブ３３のネジ部３３Ａが螺合するネジ穴２３２Ａが形成されている。ロッド２３２の下端部には、フランジ２３２Ｃが形成されている。
【００６７】
ボトムプレート２０２の中央部には、ロッド２３２が下面側から貫通する孔部２０２Ａが形成されている。ボトムプレート２０２の上面における孔部２０２Ａの周囲には、３個のブレード２３１のそれぞれの突起２３１Ｄが上面側から嵌入する凹部２０２Ｂが形成されている。
【００６８】
ボトムプレート２０２の上面側から凹部２０２Ｂに突起２３１Ｅを嵌入してブレード２３１をボトムプレート２０２の上面に立設させ、ボトムプレート２０２の下面側から孔部２０２Ａにロッド２３２を貫通させることにより、ロッド２３２はブレード２３１の内側に配置される。このとき、ロッド２３２のフランジ２３２Ｃが、ボトムプレート２０２の底面に当接する。ボトムプレート２０２の底面に形成された図示しない凹部にキャップ２３３を下方から嵌め込むことにより、ロッド２３２のフランジ２３２Ｃがボトムプレート２０２の底面とキャップ２３３との間に挟持され、ボトムプレート２０２にロッド２３２が回転自在に支持される。
【００６９】
図６は、上記第２の実施形態に係るスピンドルケースにおける支持棒の動作を示す図である。図６（Ａ）に示すように、支持棒２０３において、ブレード２３１の内側面に形成された突起２３１Ｅと、ロッド２３２の外周面に形成された突起２３２Ｂと、が対向していない状態では、ヒンジ部２３１Ｃの弾性力によって各ブレード２３１における揺動体２３１Ｂが支持棒２０３の半径方向において互いに近接する方向に移動し、突起２３１Ｅがロッド２３２の外周面において突起２３２Ｂの形成されていない部分に当接する。このとき、支持棒２０３の外径は、収納すべきディスクの孔部の内径よりも小さく、支持棒２０３がディスクの孔部に遊嵌する第１の径になっている。このため、支持棒２０３に対してディスクの孔部を容易に挿脱することができ、ボトムプレート２０２の上面にディスクを自由に積載することができる。
【００７０】
図６（Ａ）に示す状態からロッド２３２を６０度回転させると、図６（Ｂ）に示すように、ブレード２３１の内側面に形成された突起２３１Ｅと、ロッド２３２の外周面に形成された突起２３２Ｂと、が対向し、両者の当接によってブレード２３１のそれぞれにおいて揺動体２３１Ｂが支持棒２０３の半径方向における外側に移動する。このとき、支持棒２０３の外径は収納すべき孔部の内径よりも僅かに大きく、支持棒２０３がディスクの孔部の周縁部に圧接する第２の径になっている。このため、ブレード２３１における揺動体２３１Ｂの外周面がディスクの孔部の内周部に圧接する。この圧接によってディスクの移動が規制される。また、図６中の拡大図に示すように、突起２３１Ｅの先端部には凹部が形成されており、この凹部に突起２３２Ｂの先端部が嵌入することにより、ブレード２３１における揺動体２３１Ｂの外周面がディスクの孔部の内周部に圧接した状態が維持される。
【００７１】
なお、ロッド２３２の回転は、第１の実施形態に係るスピンドルケース１０のロッド３２と同様に、図示しないノブの操作によって行うことができる。
【００７２】
図１４は、図５及び図６に示した実施形態の変形例である。この例では、アウターケース１の上面の内側面における中央部から突起（この発明の第１の係合部材である。）５０１を下方に突出させ、ロッド２３２の頂部にネジ穴２３２Ａに代えて突起５０１が上方から嵌入する穴部（この発明の第２の係合部材である。）５０２を形成した。突起５０１及び穴部５０２がこの発明の伝達部材を構成している。
【００７３】
また、アウターケース１は、下端部の内周面に形成したネジ部５０３とボトムプレート２０２の外周面に形成したねじ部５０４との螺合により、ボトムプレート２０２に装着される。したがって、アウターケース１をボトムプレート２０２に対して上方から被覆した状態で回転させることにより、アウターケース１がボトムプレート２０２に着脱される。３つのブレード２３１にはリング状の弾性体５０５が外嵌しており、３つのブレード２３１は、弾性体５０５の弾性力によって互いに近接する方向に付勢されている。
【００７４】
アウターケース１をボトムプレート２０２に対して上方から被覆すると、突起５０１が穴部５０２に上方から嵌入する。この状態で、アウターケース１をボトムプレート２０２に装着すべく回転させると、アウターケース１の回転が突起５０１及び穴部５０２を介してロッド２３２に伝達され、ボトムプレート２０２においてロッド２３２が回転する。このロッド２３２の回転により、図６において説明した動作と同様にしてブレード２３１における揺動体２３１Ｂの外周面がディスクの孔部の内周部に圧接し、ディスクの移動が規制される。
【００７５】
アウターケース１をボトムプレート２０２から取り外すべく逆方向に回転させると、アウターケース１の逆回転が突起５０１及び穴部５０２を介してロッド２３２に伝達され、ボトムプレート２０２においてロッド２３２が逆回転する。このロッド２３２の回転により、ブレード２３１における揺動体２３１Ｂの外周面がディスクの孔部の内周部から離間し、ディスクの移動が規制されなくなる。
【００７６】
したがって、この例では、ボトムプレート２０２にアウターケース１を着脱する際のアウターケース１の回転により、ロッド２３２を回転させて複数のブレード２３１を半径方向に移動させることができ、支持棒２０３の外径を変化させてディスクの移動を選択的に規制することができる。
【００７７】
なお、図１４に示した例では、突起５０１及び穴部５０２の断面形状を三角形としたが、これに限るものではなく、アウターケース１の回転をロット２３２に伝達することができることを条件に、突起５０１及び穴部５０２の断面形状を任意の形状とすることができる。
【００７８】
図７は、この発明の第４の実施形態に係るスピンドルケースの構成を示す図である。この実施形態に係るスピンドルケース３００は、アウターケース３０１をボトムプレート３０２の上面に被せた際に、アウターケース３０１の内側上面の中央部から下方に延出したロッド３３２が、ボトムプレート３０２の上面の中央部に半径方向に移動自在に支持された複数（図７に示す例では３個）のブレード３３１の内側に嵌入し、各ブレード３３１が互いに離間する方向に移動するようにしている。
【００７９】
このため、スピンドルケース３００では、第１の実施形態に係るスピンドルケース１０における支持体３のブレード３１と同様にして、ボトムプレート３０２の中央部に３個のブレード３３１を半径方向における所定範囲内で移動自在に支持している。この例では、さらに、３個のブレード３３１の外周部に延出方向に形成された溝部３３１Ａに連続して嵌入する伸縮リング３３１Ｂを備えている。伸縮リング３３１Ｂは、例えばゴム等の弾性素材によって構成されている。伸縮リング３３１Ｂは、各ブレード３３１を互いに近接する方向に付勢している。各ブレード３３１の内側面は、下方に行くにしたがって他のブレード３３１との間隔が小さくなるようにテーパ状に形成されている。
【００８０】
アウターケース３０１の内側上面の中央部には、複数のブレード３３１の内側に対向する位置からロッド３３２が下方に延出している。ロッド３３２は、下端部から上端部に向って外径が大径化するテーパ状に形成されている。ロッド３３２の下端部にはネジ部３３２Ａが形成されている。
【００８１】
図８は、上記第４の実施形態に係るスピンドルケースにおけるディスクの収納状態を示す図である。アウターケース３０１をボトムプレート３０２の上面に被せると、ロッド３３２が複数のブレード３３１の内側の空間に嵌入し、ロッド３３２及びブレード３３１のテーパ形状によってブレード３３１が互いに離間する方向に移動する。これによって、ブレード３３１とロッド３３２によって構成された支持棒３０３の外径が大径化し、ボトムプレート３０２の上面に積載されたディスクＤの孔部ＤＡの内周面にブレード３３１の外周面が圧接し、ボトムプレート３０２におけるディスクＤの移動が規制される。
【００８２】
なお、ボトムプレート３０２における中央部には、ロッド３３２の下端部に形成されたネジ部３３２Ａが螺合する雌ネジ部３０２Ａが形成されている。アウターケース３０１をボトムプレート３０２の上面に被せた後、アウターケース３０１を回転させることによってネジ部３３２Ａが雌ネジ部３０２Ａに螺合し、アウターケース３０１によるボトムプレート３０２の上面の被覆状態が維持される。
【００８３】
図１０は、この発明の第５の実施形態に係るスピンドルケースにおける支持棒の構成及び動作を示す図である。この実施形態に係るスピンドルケースにおける支持棒４０３は、円筒形状の本体４３１の周面における複数箇所（図１０では３箇所）に軸方向のスリット４３１Ａを形成し、このスリット４３１を樹脂シート等の可撓性を有する素材からなるエンベローブ４３２によって内側から覆っている。また、本体４３１の上端部からはポンピングノブ４３３が露出している。本体４３１の外径は、ディスクの孔部の内径よりも僅かに小さくされている。ポンピングノブ４３３は、本体４３１の内部において軸方向に摺動自在にされている。
【００８４】
図１０（Ａ）の断面図に示すように、本体４３１の内部は、ポンプ室４４１と膨張室４４２との二重構造にされており、シリンダ状のポンプ室４４１内にポンピングノブ４３３が軸方向に摺動自在にされている。エンベローブ４３２を含む本体４３１の外周面は膨張室４４２の外側面を構成している。ポンピングノブ４３３の下端部にはチェッキバルブ４４３が取り付けられている。ポンプ室４４１の下端部はゲートバルブ４４４を介して膨張室４４２に連通している。本体４３１の下端部はフランジ状のベース部４３４にされている。このベース部４３４の底面には、リリースバルブ４４５が備えられている。
【００８５】
チェッキバルブ４４３は、ポンピングノブ４３３の上昇時に、ポンピングノブ４３３の外周面とポンプ室４４１の内周面との間を経由して、ポンプ室４４１内に空気を導く。チェッキバルブ４４３は、ポンピングノブ４３３の下降時には、ポンピングノブ４３３の外周面とポンプ室４４１の内周面との間を閉鎖する。ゲートバルブ４４４は、ポンプ室４４１から膨張室４４２への空気の流入のみを許容し、膨張室４４２からポンプ室４４１への空気の流入を規制する。リリースバルブ４４５は、上方に押圧された際に、膨張室４４２を外部に連通し、エンベローブ４３２の内側を選択的に大気圧に開放する。
【００８６】
この構成において、ポンピングノブ４３３、ポンプ室４４１、膨張室４４２、チェッキバルブ４４３及びゲートバルブ４４４が、この発明のポンプ機構に相当する。また、リリースバルブ４４５が、この発明のバルブ機構に相当する。
【００８７】
この構成により、本体４３１をディスクの孔部に貫通させた後、本体４３１を固定してポンピングノブ４３３を上下に往復移動させると、ポンピングノブ４３３の上昇時にチェッキバルブ４４３を介してポンプ室４４１内に空気が流入し、ポンピングノブ４３３の下降時にポンプ室４４１内の空気がゲートバルブ４４４を経由して膨張室４４２内に流入する。これによって、ポンピングノブ４３３を上下に往復移動させる度に膨張室４４２の内圧が上昇し、図１０（Ｂ）に示すように、エンベローブ４３２が外側に膨らみ、ディスクの孔部の内周面に圧接することによってスピンドルケース内におけるディスクの移動を規制する。
【００８８】
エンベローブ４３２が膨張している状態でリリースバルブ４４５を押圧操作すると、ポンプ室４４１及び膨張室４４２が大気圧になり、図１０（Ｃ）に示すように、エンベローブ４３２が縮む。これによって、エンベローブ４３２は、ディスクの孔部の内周面に圧接しなくなり、スピンドルケースに対してディスクを挿脱自在にすることができる。
【００８９】
図１５は、第５の実施形態に係るスピンドルケースの別の例を示す図である。図１５（Ａ）に示すように、この例のスピンドルケースにおける支持棒４０３は、円筒形状の本体４３１の周面における複数箇所に軸方向のスリット４３１Ａを形成し、このスリット４３１を樹脂シート等の可撓性を有する素材からなるエンベローブ４３２によって内側から覆っている。また、本体４３１の上端部にはベローズ７０１が設けられている。
【００９０】
図１５（Ｂ）に示すように、アウターケース２がボトムプレート２から離間している状態では、ベローズ７０１が伸張しており、エンベローブ４３２は収縮している。このとき、ディスクＤの孔部の内周面にエンベロープ４３２は当接しておらず、ディスクＤは上下方向に移動自在にされている。
【００９１】
図１５（Ｃ）に示すように、アウターケース２がボトムプレート２に装着された状態では、ベローズ７０１がアウターケース２の内側面との当接によって収縮し、本体４３１の内部の空気を圧縮する結果、エンベロープ４３２が拡張してディスクＤの孔部の内周面に圧接する。これによって、ディスクＤの上下方向の移動が規制される。
【図面の簡単な説明】
【００９２】
【図１】この発明の第１の実施形態に係るスピンドルケースの構成を示す斜視図である。
【図２】上記スピンドルケースの支持棒の構成を示す組立図である。
【図３】上記スピンドルケースにおける支持棒の動作を示す図である。
【図４】この発明の第２の実施形態に係るスピンドルケースにおける支持棒の構成及び動作を説明する図である。
【図５】この発明の第３の実施形態に係るスピンドルケースの構成を示す図である。
【図６】上記第３の実施形態に係るスピンドルケースにおける支持棒の動作を示す図である。
【図７】この発明の第４の実施形態に係るスピンドルケースの構成を示す図である。
【図８】上記第４の実施形態に係るスピンドルケースにおけるディスクの収納状態を示す図である。
【図９】この発明の実施形態に係るスピンドルケースにおけるアウターケースの別の形状を示す図である。
【図１０】この発明の第５の実施形態に係るスピンドルケースにおける支持棒の構成及び動作を示す図である。
【図１１】上記第２の実施形態に係るスピンドルケースにおける支持棒の変形例の構成を示す図である。
【図１２】同変形例の動作を示す図である。
【図１３】上記第２の実施形態に係るスピンドルケースにおける支持棒の別の変形例の構成及び動作を示す図である。
【図１４】上記第３の実施形態に係るスピンドルケースにおける支持棒の変形例の構成を示す図である。
【図１５】上記第５の実施形態に係るスピンドルケースにおける支持棒の変形例の構成及び動作を示す図である。
【符号の説明】
【００９３】
１  アウターケース
２  ボトムプレート
３  支持棒
３１  ブレード
３２  ロッド
【図１】
2006036361.tif 000003
【図２】
2006036361.tif 000004
【図３】
2006036361.tif 000005
【図４】
2006036361.tif 000006
【図５】
2006036361.tif 000007
【図６】
2006036361.tif 000008
【図７】
2006036361.tif 000009
【図８】
2006036361.tif 000010
【図９】
2006036361.tif 000011
【図１０】
2006036361.tif 000012
【図１１】
2006036361.tif 000013
【図１２】
2006036361.tif 000014
【図１３】
2006036361.tif 000015
【図１４】
2006036361.tif 000016
【図１５】
2006036361.tif 000017